(57)【要約】【課題】トムソン型などの立体物の収納および取り出し作業が容易で、収納状態では隣接する立体物型同士が接触しない立体物の整理棚を提供する。【解決手段】案内溝４が左右方向に延設されている乗せ台３と、その乗せ台を支持する枠体２と、前記乗せ台３の上方手前側に左右に延設される回動支持棒１３と、その支持棒によって回動自在に支持され、前記案内溝と一体になって立体物を誘導するガイド部材５と、隣接するガイド部材の間に隙間Ｓを形成するためのスペーサ１４とを備えている立体物の整理棚１。【選択図】  図１
2004337521.tif 000002
【特許請求の範囲】
【請求項１】
板状の立体物を少なくとも２個以上乗せる乗せ台と、その乗せ台の上方手前側に左右に延設される支持部材と、その支持部材によって互いに隙間を形成するように回動自在に支持され、前記板状の立体物を倒れないように保持する２個以上のガイド部材とからなる立体物の整理棚。
【請求項２】
前記ガイド部材の長手方向に前記立体物が摺動可能な摺接面を有し、前記立体物が該摺接面を摺動することによって回動する請求項１記載の立体物の整理棚。
【請求項３】
前記ガイド部材が前記立体物と係合する係合部を有し、該係合部の係合によって前記立体物を倒れないように保持する請求項１記載の立体物の整理棚。
【請求項４】
前記係合部の断面が、前記立体物が挿入可能な凹形を呈している請求項３記載の立体物の整理棚。
【請求項５】
前記乗せ台の表面に立体物の下部を挿入することができる案内溝を前記ガイド部材の回動方向に延設している請求項１、２、３または４記載の立体物の整理棚。
【発明の詳細な説明】
【０００１】
【発明の属する技術分野】
本発明はトムソン型あるいはこれに類似する板状の立体物を横並び状態で効率よく収納することができる整理棚に関する。
【０００２】
【従来の技術】
紙、ゴムシートなどを打ち抜くためのトムソン型（図７参照）は基台の片面に刃が突出しているので、重ねることができない。そのため従来のトムソン型の整理棚ではトムソン型を一体ずつ収納するためのスペースを仕切り板で区画することにより確保していた。その仕切り板の形状は基台の中央に位置している刃が仕切り板に接触することなく、また基台の側面の下方および後方だけが接触するようにＬ字型になっている。明らかなように基台は両側面の下方および後方の両方が前記Ｌ字型の仕切り板のＬ字部分に接触できるように、奥のほうまで押し込まれた状態で収納されることによって、トムソン型は倒れが防止されている。仮に基台が奥の方まで押し込めないで、下方だけが仕切り板に接触可能な状態で収納される場合は、倒れ防止は難しくなる。また大きさの異なるトムソン型をそれぞれ倒れ防止をするために奥のほうまで押し込んで収納した場合、これらトムソン型の手前は凹凸状態となり、外観が非常に不体裁になる。また小型トムソン型の両側に大型トムソン型が隣接している場合、この小型トムソン型を出し入れする場合には隣接する大型のトムソン型の間に手を挿入しなければならないので、手あるいは指が隣接するトムソン刃に接触するなどの危険性がある。
【０００３】
【発明が解決しようとする課題】
本発明は上記従来の問題点を全面的に解消するものであるが、さらにトムソン型の収納および取り出しが安全に、かつ迅速軽快に行うことができる立体物の整理棚を提供することを技術的課題としている。
【０００４】
【課題を解決するための手段】
本発明の立体物の整理棚は板状の立体物を少なくとも２個以上乗せる乗せ台と、その乗せ台の上方手前側に左右に延設される支持部材と、その支持部材によって互いに隙間を形成するように回動自在に支持され、前記板状の立体物を倒れないように保持する２個以上のガイド部材とからなることを特徴としている（請求項１）。前記ガイド部材の長手方向に前記立体物が摺動可能な摺接面を有し、前記立体物が該摺接面を摺動することによって前記ガイド部材が回動するのが好ましい（請求項２）。さらに前記ガイド部材が前記立体物と係合する係合部を有し、該係合部の係合によって前記立体物を倒れないように保持するのが一層好ましい（請求項３）。このような係合部はその断面が前記立体物が挿入可能な凹形を呈しているものが好ましいい（請求項４）。また前記乗せ台の表面に立体物の下部が挿入することができる案内溝を前記ガイド部材の回動方向に延設しているのが望ましい（請求項５）。
【０００５】
【作用および発明の効果】
本発明の立体物の整理棚（請求項１）は、ガイド部材の回動作用および保持作用によって、立体物をガイド部材の回動方向へ倒れないように誘導させることが可能である。したがって立体物を乗せ台上で滑らせながら、移動及び停止することができるので、従来のように立体物を手に持って所定の収納位置へ運び入れたり、また取り出したりする煩雑性または危険性は解消することができる。また煩雑性が解消されたことによって立体物を誤って落下し、損傷させることも解消することができる。さらに立体物はガイド部材に保持されているので、傾斜することが防止可能になっている。したがって収納された立体物の側方が空きスペースであっても、その立体物は空きスペースの方へ倒れることはないので、空きスペースは次の立体物の収納場所として確保しておくことができる。また従来のように収納場所を確保するためにわざわざ立体物を立て直す手数は不要で、立体物の収納作業を迅速にすることができる。また隣接するガイド部材の間には隙間が形成されているので、ガイド部材に保持されている隣接の立体物同士の接触は防止可能になっている。したがって収納状態おける隣接の立体物同士が接触して、その表面同士が損傷したり、また立体物の収納作業または取り出し作業において隣接する立体物の表面同士が擦れあって損傷したりすることはなくすことができる。
【０００６】
前記ガイド部材の長手方向に前記立体物が摺動可能な摺接面を有し、前記立体物が該摺接面を摺動することによって前記ガイド部材が回動する場合（請求項２）、ガイド部材と前記立体物は摺接面に立体物が接触することによって一体化し、立体物が傾斜しないように防止されている。したがって前記立体物が前記摺接面を摺動してガイド部材を回動させている間も一体的であるから、ガイド部材は立体物を所定位置へ誘導し、かつ倒れないように保持することができる。
【０００７】
さらに前記ガイド部材が前記立体物と係合する係合部を有し、該係合部に前記立体物を係合することによって、前記立体物を倒れないように保持する場合（請求項３）、立体物がガイド部材の係合部に係合することによって、ガイド部材と立体物との一体感は強まる。したがってガイド部材が立体物を誘導している最中あるいは保持している最中に立体物あるいはガイド部材に衝動が加わっても、両者は簡単に外れることは防止されているから、立体物の誘導と保持は確実に行なわれることを可能にした。
【０００８】
前記係合部の断面が立体物が挿入可能な凹形を呈している（請求項４）場合、該係合部に挿入された立体物の両側には前記凹形の立ち壁が近接しているので、立体物が倒れそうになっても立ち壁に接触して、元の挿入状態に戻ることが可能になっている。したがって誘導中のガイド部材に衝撃が加わって立体物が横揺れしたり、また傾斜したりしても、立体物は前記係合の立ち壁に接触して係合部からの脱抜は防止され、ガイド部材による誘導及び保持を一層、確実に行うことができる。
【０００９】
前記乗せ台の表面に立体物の下部が挿入することができる案内溝を前記ガイド部材の回動方向に延設している場合（請求項５）は、立体物の下部は案内溝によって横方向へ滑るのが防止され、また上部はガイド部材に支持されて傾斜するのが防止されているから、立体物は極めて安定した立状態を得ることが可能になっている。したがって立体物の誘導は迅速に、かつ確実に行うことができる。また隣接する立体物同士の接触はより確実に防止することができる。
【００１０】
【発明の実施の形態】
つぎに図面を参照しながら本発明の実施形態を説明する。図１は本発明の整理棚の一実施形態を示す正面図、図２は同側面図、図３は要部拡大図、図４ａはガイド部材の正面斜視図、図４ｂは同背面の要部斜視図、図４ｃは同平面図、図５は使用状態の説明図、図６は収納状態図、図７はトムソン型の斜視図である。
【００１１】
図７に示すようにトムソン型Ａは直方体の基台Ｂの表面中央にトムソン刃Ｃが突出しており、トムソン刃の周囲は本実施形態のガイド部材が係合できるように充分な余地を有し、かつ平滑面になっている。
【００１２】
図１乃至図３に示す整理棚はトムソン型を収納する整理棚１で、アングル材による枠体２と、この枠体の内側に固定する適当数の乗せ台３と、この乗せ台３の上面に前後方向に形成されている多数列の案内溝４と、これらの案内溝４の上方において各案内溝と一体的にトムソン型を支持作用する回動可能なガイド部材５と、このガイド部材５を前記案内溝の前端近辺の上方においてほぼ垂直状態で吊持する支持部材６とからなっている。
【００１３】
さらに詳述すると、図１乃至図２に示すとおり乗せ台３は矩形の底面３ａとその周辺を曲げ起こした立ち壁７で形成されている。乗せ台３はこの立ち壁７を下向きにして、枠体２に設けられている
【００１４】
図２および図３に示すように乗せ台３の表面３ａにはトムソン型Ａの基台Ｂが摺動可能な案内溝４が乗せ台の側縁に平行して一側から他側まで連続形成され、かつ乗せ台３の前端から後端まで延設されている。図３に示すように案内溝４は筋状の突起４ａ、４ｂを二本一組にして構成されており、それぞれは隣接する案内溝４を形成するのに兼用されている。
案内溝４の内幅Ｗ１は基台Ｂの下部が摺動することができるように基台Ｂの厚みよりも若干、幅広になっており、また案内溝４の内側両隅はトムソン型の基台の両隅が当接できるように直角に形成されている。また突起４ａの幅Ｗ２は係る案内溝４およびこの上方のガイド部材に係合される基台のトムソン刃Ｃが隣接のガイド部材あるいは隣接のガイド部材に係合されているトムソン型の表面に接触しないように、トムソン刃Ｃの刃高よりも幅広になっている。さらに高さは少なくとも基台が左右方向へずれることを防止できればよいが、これよりも高くして垂直に支持することができるようにしてもよい。
【００１５】
上記ガイド部材５は図４ａ、４ｂ、４ｃに示すようにその内側両隅が直角に形成された凹形の縦長の長尺物で基台Ｂの挿入部８を形成している、この側壁の９の上部には吊持用の貫通孔１０が貫設され、背面１１の下端には基台Ｂの天面を支持するために外向きに湾曲した押さえ片１２が一体形成されている。側壁９の下端は押さえ片１２の下端よりも下方に延びており、ガイド部材５が後記の回動支持棒に吊持された状態において、案内溝４に接触しない適当な長さになっている。図３に示す挿入部８の内幅Ｗ３はこの内側を基台Ｂの周辺あるいは周縁が摺動できるように基台Ｂの厚みよりも若干幅広にしている。またガイド部材５は案内溝４と一体的にトムソン型の支持作用をするので、案内溝４の内幅Ｗ１と実質的に同じ内幅に形成されているのが望ましい。
【００１６】
支持部材６は図３に示すように前記ガイド部材５の貫通孔１０に貫通させて、ガイド部材を回動可能に支持する回動支持棒１３と、隣接するガイド部材同士が接触しないように介在させるスペーサ１４と、上記回動支持棒１３の両端を、案内溝４に対向する上部の乗せ台３の立ち壁７ａに取り付けるための固定用ナット１５とからなっている。ガイド部材５は図４ａに示すように挿入部８の挿入口８ａが整理棚１の正面を向き、かつ図２に示すように案内溝４の前端よりやや後方位に垂直状態で回動支持棒１３によって吊持される。またスペーサ１４の幅Ｗ４はガイド部材５の中心部が当該案内溝４の中心部に位置するように設定されている。しかして隣接するガイド部材５、５の間に形成されている隙間Ｓは筋状突起４ａあるいは４ｂの方向に延びており、ガイド部材に回動支持される基台Ｂより突出するトムソン刃Ｃの収納部１６になっている。
明らかなように本実施形態はトムソン型の基台Ｂの支持部とトムソン刃Ｃの収納部が区分されている。
【００１７】
次に本実施形態の使用方法を図５ａ乃至図５ｃに基づいて説明する。
トムソン型Ａを整理棚１に収納するには、図５ａの二点鎖線で示すように基台Ｂの一端を案内溝４の中に入れ、そして基台Ｂの前端面を指先で矢印Ｙ１方向へ押すと、基台Ｂの後方部がガイド部材５の挿入部８に挿入して、実線で示すように挿入部８の背面１１に当接する。このとき、案内溝４は基台Ｂを挿入部８まで直進誘導させることが可能になっているので、基台Ｂを垂直に保って指先で押すという簡単な作業で確実に挿入部へ挿入させることができる。そして挿入部へ挿入された基台Ｂの下端面Ｂ１および後端面Ｂ２は案内溝４の底面および挿入部８の背面１１にそれぞれ面接触し、さらにこれらの面接触の両側は案内溝４の突起４ａ、４ｂおよび挿入部８の側壁９、９に囲まれている（斜線Ａ部分）ので、トムソン型Ａは傾斜および転倒が防止可能な状態（Ｓ１）を得て、後方へ進行することになる。一方、ガイド部材５に挿入された基台Ｂのトムソン刃Ｃについてはガイド部材５の側壁９より突出して収納部１６に位置している。
【００１８】
次に図５ｂに示すようにＳ１の基台Ｂの前端面を指先で矢印Ｙ２の方向へ押すと、基台Ｂの後方角部Ａ１が挿入部８の背面１１を押圧してガイド部材は上昇回動を開始する。しかして基台ＢをＳ１の状態から乗せ台の後方へ押し進めていくと、後方角部Ａ１が背面１１を摺動すると共に押圧するので、ガイド部材５は矢印方向へ上昇させられる。一方、基台Ｂは後方角部Ａ１に対するガイド部材５からの応力または背面１１からの当接圧によって立状態が支持されるので、後方へ進行している間に傾斜あるいは転倒することはない。また後方角部Ａ１と背面１１との接触部Ｐ１の位置はガイド部材５の回動角度が上がっていくにしたがって背面１１の下方へ摺動していくことになるが、この間の基台Ｂの接触部Ｐ１の両側面は挿入部８の側壁９、９に常に囲まれている（斜線Ｂ部分）状態になっている（Ｓ２）ので、基台Ｂに衝撃が加わって背面１１からの支持が一瞬なくなったとしても、前記斜線Ｂ部分が側壁９に当たって立状態を回復する。また基台は後方へ進行するにしたがって、案内溝による支持作用が高くなる。したがって、トムソン型Ａは、基台Ｂの前端面を押すだけで転倒あるいは傾斜することなく、立状態を維持しながら適当な収納位置まで押し進めることができる。またトムソン刃Ｃは、収納部１６を筋状の突起４ａ（あるいは４ｂ）が延びる方向へ移動していくが、基台Ｂが傾斜あるいは転倒防止されているので、隣接のガイド部材あるいはトムソン型の表面に接触することは防止されている。
【００１９】
さらに図５ｃに示すように前記Ｓ２状態から基台Ｂの前端面を矢印Ｙ３方向へ押していくと、後方角部Ａ１は前記挿入部８の背面１１を通過する一方、これと同時にそれまでのガイド部材５の上昇回動は停止される。また基台Ｂはこの通過と同時にそれまで背面１１が基台Ｂの立状を支持していたのに代わり、当接片１２が基台Ｂの天面Ｔに接触して基台Ｂの立状を上方から支持することになる。つまり基台は上部と下部をガイド部材５と案内溝４とによって、立状に支持される。さらに天面Ｔと当接片１２との接触部Ｐ２近辺の基台の側面は挿入部８の側壁９、９が囲んでいる（斜線Ｃ部）状態になっている（Ｓ３）ので、基台Ｂに衝撃が加わっても、傾斜あるいは転倒することは防止されている。したがってトムソン型Ａは当接片１２が基台の天面Ｔのいずれかの部位に接触していることによって上方から支持されるので、当接片が後方角部Ａ１を通過後に、収納作業を完了すれば、案内溝を逆送して押し戻されることはない。また基台の下方は長手方向の全域が案内溝に挟まれて確かな安定感を得ているから、基台は上部と下部の両方向からの支持作用で、トムソン型を収納することになる。なお、基台Ｂは先に収納されているトムソン型と案内溝の前方で整列するように収納されることが望ましい。
【００２０】
明らかなようにガイド部材による基台Ｂの支持作用は挿入部８の背面１１あるいは当接片１２が基台に接触できる範囲であれば、基台Ｂの高さは不問であるから、一つのガイド部材で大型、小型を問わず支持することができる。またトムソン刃の収納部の大きさは前記Ｓの全高さおよび全奥行きが最大収容量になっているので、トムソン型の大小関係なく収納することができる。しかし、ガイド部材の回動支持棒に基台の天面が接近していくにつれて、回動支持棒は基台Ｂの押圧による回動が軽快でなくなるので、ガイド部材の下半分ぐらいのところで基台Ｂの収納作用をおこなうのが望ましい。例えば図１に示すようにガイド部材の長さを変えて、大型トムソン型用、中型トムソン型用あるいは小型トムソン型用のいずれもがガイド部材の下半分で収納作業を行なえるようにすればよい。さらに大型用の場合はガイド部材の挿入部の深さを大きくしておけば、基台の側面をカバーする面積あるいは傾斜時の基台Ｂの側面との接触面積が大きくなるから、確かな立状支持をすることができる。
【００２１】
なお図６に示す基台Ｂは前記図５ａ〜図５ｃの基台よりも表面積が大きいが、接触部Ｐ３の周辺を囲む側壁９によるカバー面積（斜線Ｄ部）が前記図５ｃに示す基台Ｂのカバー面積（斜線Ｃ部）よりも大きくなっている。つまり基台が大きくなるにつれて、ガイド部材の傾斜角度は大きくなって挿入部８の側壁９によるカバー面積は大きくなるので、小型の基台と兼用されるガイド部材であっても（つまりガイド部材の大きさあるいは挿入部の長さが同じである場合）基台の大きさに応じてカバー面積も大きくなるので、側壁による転倒防止又は傾斜防止作用についての支障は無く、確かな立状を維持することができる。
【００２２】
次に収納状態については前記Ｓ３と同じく、ガイド部材の当接片１２が基台Ｂの天面Ｔに接触している。つまり基台Ｂの上部および下部がガイド部材５および案内溝４による上下方向からの支持作用で立状態を維持するようにしている。したがってトムソン刃Ｃが隣接するトムソン型の表面に接触することはないので、刃が損傷させられたり、また基台の表面を傷つけたりすることも無い。
前述のとおりトムソン型はこの大きさが大小異なっていても、当接片１２による天面への接触位置を前後方向で調整することによって、基台の前端面を案内溝の前方において整列させて凹凸が出ないようにすることができるので、整理整頓がしやすくなる。また収納されている各トムソン型の前端面の両側は隙間Ｓが形成されているので、一つひとつのトムソン型が実質的にも、また外見的にも独立した状態で収納されている。したがって、隣接のトムソン型が乗せ台から引き出されても、何ら影響を受けることは無く、立状態は維持されたままであるから、新たなトムソン型の収納作業で隣接するトムソン型が邪魔になることはない。また隣接するトムソン型の間が接触しないことで、歯の大きさが確認できるので、所望の型材を早期に発見することができる。
【００２３】
上記収納状態については大小異なるトムソン型あるいはそうでないトムソン型のいずれもが乗せ台３の前方で整列し、かつその両側は隣接するトムソン型に接触しないで適当な隙間Ｓを有している。したがってこの中から所望するトムソン型Ａを取り出すときは基台Ｂの両側を確実に、かつ安全にして摘むことができ、そして乗せ台より引き出すことができる。これはトムソン型の大小関係なく同じように取り出せるので、従来のようにトムソン型Ａの間に手を挿入して奥の方からトムソン型を取り出すような危険性は全面的に解消されている。またトムソン型Ａは基台Ｂを案内溝４の中を摺動させながら引き出すので、仮に引き出し方向が微妙にずれても挿入部８の側壁９、９あるいは案内溝４の内側によって基台Ｂの上方あるいは下方が直ぐ軌道修正される。したがってガイド部材による取り出し作業は隣接するトムソン型同士の接触を防止する。さらにトムソン型Ａの前方は指先で支持されているから立状を目で確認しながら引き出すことができるが、目の届かない後方は非常に不安定になり易い。しかし本実施形態の整理棚では基台の後方はガイド部材５によって支持され、かつ取り出し方向へ誘導されるので、基台の後方は特に傾斜および転倒することがないようになっている。このように接触防止が確かなものになったことで、基台を乗せ台より軽快にかつ迅速な取りだすことができる。さらに挿入部８からトムソン型Ａを取り外す時、トムソン型Ａの後方は案内溝４の中に入っている（図５ａの二点鎖線の状態）ので、落下事故を防止することができる。
【００２４】
上述からも明らかなように、本実施形態のガイド部材の大きな特徴は、隣接するトムソン型の表面同士が収納および取り出しの各作業中、さらに収納状態において接触しないことで表面が損傷しない点である。したがって本実施形態の整理棚はトムソン型以外の板状立体物の整理棚としても使用することができる。例えば表面に金箔が施された装丁の本は、通常の本箱の場合、表面同士が接触するので、長年の間に金箔が接触している相手方の本の装丁に転移することがある。また取り出すときに、本の表面が隣接の本の表面を摺接するので、金箔が剥がれ落ちてしまうことがある。本実施形態においては表面の接触は皆無であるから、このような問題点はない。
本実施形態はこのように表面が突出している物や表面に危険物が設けられているもの、そして表面を丁寧に取り扱わなければならないものなどを収納する整理棚としても使用することができる。
【図面の簡単な説明】
【図１】本発明の実施形態の正面図である。
【図２】図１の側面図である。
【図３】図３ａはガイド部材の斜視図、図３ｂは要部断面図である。
【図４】図４ａはガイド部材の正面斜視図、図４ｂは同背面の要部斜視図、図４ｃは同平面図である。
【図５】図５ａ、図５ｂ、図５ｃは使用状態の説明図である。
【図６】図６は使用状態の説明図である。
【図７】トムソン型の斜視図である
【符号の説明】
１  整理棚
２  枠体
３  乗せ台
３ａ  表面
４  案内溝
４ａ  筋状の突起
４ｂ  筋状の突起
５  ガイド部材
６  支持部材
７  立ち壁
７ａ  両側の立ち壁
８  挿入部
８ａ  挿入口
９  側壁
１０  貫通孔
１１  背面
１２  当接片
１３  回動支持棒
１４  スペーサ
１５  固定用ナット
１６  トムソン刃の収納部
Ａ  トムソン型
Ｂ  基台
Ｃ  トムソン刃
Ｓ  隙間
Ｔ  天面
Ｐ１  接触部
Ｐ２  接触部
Ｐ３  接触部
Ｗ１  溝幅
Ｗ２  挿入部の内幅
Ｗ３  筋状突起の幅
Ｗ４  スペーサの幅
【図１】
2004337521.tif 000003
【図２】
2004337521.tif 000004
【図３】
2004337521.tif 000005
【図４】
2004337521.tif 000006
【図５】
2004337521.tif 000007
【図６】
2004337521.tif 000008
【図７】
2004337521.tif 000009